(57)【要約】【課題】操作体のスライド操作を繰り返しても、識別表示体が操作体から脱落することを抑止できる多芯筆記具を提供する。【解決手段】軸筒２内に複数の筆記体５を前後方向に移動可能に収容する。各々の筆記体５の後端に操作体６を着脱自在に連結する。各々の操作体６を弾発体８により後方に付勢し、軸筒２の側壁に前後方向に延びる複数の窓孔４１を径方向に貫設する。各々の窓孔４１から径方向外方に前記各々の操作体６の操作部６１を突出させる。各々の筆記体５を識別するための識別表示体７を操作体６の操作部６１と別部材により構成する。識別表示体７を、操作体６の操作部６１の頂部を除く操作部６１の一部に着脱自在に取り付ける。操作体６に取り付けた状態の識別表示体７を外部より視認可能に構成する。【選択図】  図３
2010260213.tif 000002
【特許請求の範囲】
【請求項１】
軸筒内に複数の筆記体を前後方向に移動可能に収容し、前記各々の筆記体の後端に操作体を着脱自在に連結し、前記各々の操作体を弾発体により後方に付勢し、前記軸筒の側壁に前後方向に延びる複数の窓孔を径方向に貫設し、前記各々の窓孔から径方向外方に前記各々の操作体の操作部を突出させ、一つの操作体の操作部を窓孔に沿って前方にスライドさせることにより、その一つの操作体に連結された筆記体のペン先を軸筒の前端孔から突出させるとともに、先に突出状態にあった他の筆記体のペン先を軸筒内に没入させてなり、前記軸筒が、前記前端孔を備えた前軸と、該前軸の後端に着脱自在に連結される後軸とからなり、前記後軸の側壁に前記窓孔を形成し、前記後軸の内部に前記弾発体を収容した多芯筆記具であって、前記各々の筆記体を識別するための識別表示体を操作体の操作部と別部材により構成し、前記識別表示体を、操作体の操作部の頂部を除く操作部の一部に着脱自在に取り付け、前記操作体に取り付けた状態の識別表示体を外部より視認可能に構成したことを特徴とする多芯筆記具。
【請求項２】
前記識別表示体が環状であり、前記識別表示体が、前記操作体の操作部の頂部より径方向内方の外周面を包囲するよう取り付けられる請求項１記載の多芯筆記具。
【請求項３】
前記操作体の操作部に内孔を形成し、前記識別表示体を前記内孔に収容し、前記操作部を透明材料により構成した請求項１記載の多芯筆記具。
【請求項４】
前記操作体の操作部に内孔を形成し、前記識別表示体を前記内孔に収容し、前記操作部の内孔の周壁に、前記内孔に連通し且つ外部に開口する視認窓を設けた請求項１記載の多芯筆記具。
【発明の詳細な説明】
【技術分野】
【０００１】
本発明は、多芯筆記具に関する。詳細には、複数の筆記体をユーザーが選択して軸筒に収容可能な多芯筆記具に関する。
【背景技術】
【０００２】
特許文献１には、各筆記体の後部に隆起部を設けた摺動体を連接し、隆起部を軸筒の外方に突出させ、隆起部を摺動体に着脱自在に装着する構成が記載されている。
【先行技術文献】
【特許文献】
【０００３】
【特許文献１】特開２００３−１１５８３号公報
【発明の概要】
【発明が解決しようとする課題】
【０００４】
前記文献１の多芯筆記具は、摺動体のスライド操作を繰り返すと、摺動体と隆起部との装着状態が緩み、隆起部が摺動体から脱落するおそれがある。もし、前記隆起部が摺動体から脱落すると、ペン先の出没作動ができなくなり、多芯筆記具としての本来の機能が失われる。
【０００５】
本発明は、前記従来の問題点を解決するものであって、操作体のスライド操作を繰り返しても、識別表示体が操作体から脱落することを抑止できる多芯筆記具を提供しようとするものである。尚、本発明において、「前」とはペン先側を指し、「後」とはその反対側を指す。
【課題を解決するための手段】
【０００６】
＜１＞本願の第１の発明は、軸筒２内に複数の筆記体５を前後方向に移動可能に収容し、前記各々の筆記体５の後端に操作体６を着脱自在に連結し、前記各々の操作体６を弾発体８により後方に付勢し、前記軸筒２の側壁に前後方向に延びる複数の窓孔４１を径方向に貫設し、前記各々の窓孔４１から径方向外方に前記各々の操作体６の操作部６１を突出させ、一つの操作体６の操作部６１を窓孔４１に沿って前方にスライドさせることにより、その一つの操作体６に連結された筆記体５のペン先を軸筒２の前端孔から突出させるとともに、先に突出状態にあった他の筆記体５のペン先を軸筒２内に没入させてなり、前記軸筒２が、前記前端孔を備えた前軸３と、該前軸３の後端に着脱自在に連結される後軸４とからなり、前記後軸４の側壁に前記窓孔４１を形成し、前記後軸４の内部に前記弾発体８を収容した多芯筆記具であって、前記各々の筆記体５を識別するための識別表示体７を操作体６の操作部６１と別部材により構成し、前記識別表示体７を、操作体６の操作部６１の頂部を除く操作部６１の一部に着脱自在に取り付け、前記操作体６に取り付けた状態の識別表示体７を外部より視認可能に構成したことを要件とする。
【０００７】
前記第１の発明の多芯筆記具１は、操作体６に取り付けた状態の識別表示体７を外部より視認可能に構成したことにより、操作体６を操作する前に筆記体５の識別表示体７を容易に視認できる。前記第１の発明の多芯筆記具１は、各々の筆記体５を識別するための識別表示体７を操作体６の操作部６１と別部材により構成し、前記識別表示体７を、操作体６の操作部６１の頂部を除く操作部６１の一部に着脱自在に取り付けたことにより、操作体６のスライド操作時、識別表示体７に指等で触れることを回避し、識別表示体７が脱落することを抑止でき、しかも、仮に識別表示体７が脱落しても、操作部６１は操作体６に存在するため、ペン先の出没作動が不能となることがない。前記第１の発明の多芯筆記具１は、操作体６と筆記体５とを着脱自在に連結したことにより、ユーザーが操作体６を軸筒２内に収容した状態で筆記体５のみを交換することができる。
【０００８】
前記第１の発明の多芯筆記具１は、識別表示体７を操作体６に着脱自在に取り付けたことにより、ユーザーが、筆記体５を操作体６に取り付け且つ識別表示体７を操作体６に取り付けることによって、はじめて筆記体５に識別表示機能を付与することができ、その結果、ユーザーが筆記体５に対応した識別表示体７を適正に視認しながらペン先の出没操作（操作体６のスライド操作）をすることができる。
【０００９】
尚、本発明で、前記識別表示体７は、例えば、操作体６に着脱自在に取り付け可能な樹脂成形体または貼着ラベル等が挙げられる。前記識別表示体７の形状は、棒状、板状、柱状、球状、環状、これらの組み合わせ等、適宜採用される。前記樹脂成形体によりなる識別表示体７は、操作体６に、圧入、螺合、係合、嵌合、貼着等の手段により着脱自在に取り付けられる。
【００１０】
尚、本発明で、前記識別表示体７は、例えば、筆記体５のインキ色、筆記体５のペン先サイズ、筆記体５のペン先の種類、筆記体５のペン先の筆跡幅等を表示する部材である。前記識別表示体７によって、筆記体５のインキ色、筆記体５のペン先サイズ、筆記体５のペン先の種類、筆記体５のペン先の筆跡幅等を視認することができる。前記識別表示体７が筆記体５のインキ色を表示する場合、識別表示体７の全体または一部がインキ色に着色される。前記識別表示体７が、筆記体５のペン先サイズ、筆記体５のペン先の種類、及び筆記体５のペン先の筆跡幅を表示する場合、識別表示体７の外面には、それらを表示する文字、図形、記号等からなる表示が、凹設、凸設、刻設または印刷等により形成される。
【００１１】
尚、前記識別表示体７は、操作体６に取り付ける前に、予め筆記体５と一体的にセットされることが好ましい。前記識別表示体７と筆記体５とが一体的にセットされる構成とは、例えば、筆記体５と識別表示体７とが連結される構成、または筆記体５と識別表示体７とが一つの収容体の内部に収容される構成等が挙げられる。
【００１２】
＜２＞本願の第２の発明は、前記第１の発明の多芯筆記具１において、前記識別表示体７が環状であり、前記識別表示体７が、前記操作体６の操作部６１の頂部より径方向内方の外周面を包囲するよう取り付けられることを要件とする。
【００１３】
前記第２の発明の多芯筆記具１は、操作体６のスライド操作時、識別表示体７に指等で触れることを回避し、識別表示体７が脱落することを抑止できる。また、前記第２の発明の多芯筆記具１は、識別表示体７が、前記操作体６の操作部６１の頂部より径方向内方の外周面を包囲するよう取り付けられることにより、識別表示体７を外部に露出させ識別表示体７を外部より容易に視認できる。尚、本発明において、環状とは、略環状（例えば、一部に切り欠きを備えたＣ字、Ｕ字状、コ字状）も含む。
【００１４】
＜３＞本願の第３の発明は、前記第１の発明の多芯筆記具１において、前記操作体６の操作部６１に内孔６７を形成し、前記識別表示体７を前記内孔６７に収容し、前記操作部６１を透明材料により構成したことを要件とする。
【００１５】
前記第３の発明の多芯筆記具１は、識別表示体７を操作部６１の内孔６７に収容することによって識別表示体７を操作部６１に着脱自在に取り付ける構成であるため、操作体６のスライド操作時、識別表示体７に指等で触れることを回避し、識別表示体７が脱落することを抑止できる。また、前記第３の発明の多芯筆記具１は、操作部６１（即ち操作部６１の内孔６７の周壁）を透明材料により構成したことにより、識別表示体７を外部より容易に視認できる。
【００１６】
＜４＞本願の第４の発明は、前記第１の発明の多芯筆記具１において、前記操作体６の操作部６１に内孔６７を形成し、前記識別表示体７を前記内孔６７に収容し、前記操作部６１の内孔６７の周壁に、前記内孔６７に連通し且つ外部に開口する視認窓６９を設けたことを要件とする。
【００１７】
前記第４の発明の多芯筆記具１は、識別表示体７を操作体６の内孔６７に収容することによって識別表示体７を操作部６１に着脱自在に取り付ける構成であるため、操作体６のスライド操作時、識別表示体７に指等で触れることを回避し、識別表示体７が脱落することを抑止できる。また、前記第４の発明の多芯筆記具１は、操作部６１の内孔６７の周壁に、前記内孔６７に連通し且つ外部に開口する視認窓６９を設けたことにより、前記視認窓６９を介して識別表示体７を外部より容易に視認することができる。
【発明の効果】
【００１８】
本発明の多芯筆記具によれば、操作体のスライド操作を繰り返しても、識別表示体が操作体から脱落することを抑止できる。
【図面の簡単な説明】
【００１９】
【図１】本発明の第１の実施の形態の正面図である。
【図２】図１の側面図である。
【図３】図２のＡ−Ａ線断面図である。
【図４】図２の平面図である。
【図５】図３のＢ−Ｂ線断面図である。
【図６】本発明の第２の実施の形態の正面図である。
【図７】図６の側面図である。
【図８】図７のＣ−Ｃ線断面図である。
【図９】図７の平面図である。
【図１０】図８のＤ−Ｄ線断面図である。
【発明を実施するための形態】
【００２０】
＜第１の実施の形態＞
図１乃至図５に本発明の第１の実施の形態を示す。
【００２１】
本実施の形態の多芯筆記具１は、軸筒２内に複数本（具体的には２本）の筆記体５が前後方向に移動可能に収容されている。前記各々の筆記体５は、弾発体８（具体的には圧縮コイルスプリング）により後方に付勢されている。尚、本発明において、前記軸筒２内に移動可能に収容する筆記体５の本数は、２本以上であればよく、２本以外にも、３本、４本、５本、６本等であってもよい。
【００２２】
（軸筒）
前記軸筒２は、先細状の円筒体からなる前軸３と、該前軸３の後端部と螺合または圧入により取り付けられる円筒状の後軸４とからなる。前記前軸３の前端には、筆記体５のペン先が突出可能な前端孔が軸方向に貫設される。前記前軸３及び後軸４は、合成樹脂（例えば、ポリカーボネイト等）の射出成形により得られる。
【００２３】
前記後軸４の後部の側壁には、複数本（具体的には２本）の前後方向に延びる細長状の窓孔４１が、径方向に貫設される。前記２本の窓孔４１は、互いに、軸線に対して対称の位置に形成される。
【００２４】
また、前記後軸４の窓孔４１の相互間の側壁内面には、前後方向に延びるリブよりなる係止壁部が形成され、前記係止壁部に、ペン先が突出した際の筆記体５の操作体６の後端が係止される。
【００２５】
前記後軸４の窓孔４１の相互間の側壁外面には、クリップ４２が突設される。
【００２６】
（筆記体）
前記各々の筆記体５は、例えば、ボールペンレフィル、シャープペンシルレフィル、サインペンレフィル、マーキングペンレフィル等、公知のペン先を備えたレフィルが挙げられる。
【００２７】
（操作体）
前記各々の筆記体５の後端には、操作体６が取り付けられる。前記各々の操作体６は、後端部に形成され且つ軸筒２の窓孔４１から外部に突出する操作部６１と、該操作部６１の反対側に設けられる前側突出部６２と、該操作部６１の反対側の前側突出部６２の後方に設けられる後側突出部６３と、前端部に形成され且つ筆記体５の後端開口部に嵌入される嵌入部６４と、該嵌入部６４の後方に形成される鍔部６５とを備える。前記鍔部６５の前面には、弾発体８の後端が係止される。
【００２８】
前記操作体６は、操作部６１、前側突出部６２、後側突出部６３、嵌入部６４、及び鍔部６５が、合成樹脂の成形体により一体に形成される。前記各々の操作体６は、無色透明の合成樹脂または、有色の合成樹脂により形成される。前記各々の操作体６は、有色の場合、識別表示体７の識別性を向上させるため、同一の色に統一される。
【００２９】
筆記体５のペン先が没入状態のとき、その筆記体５に取り付けられた操作体６７の後端部は、軸筒２後端部内壁に衝止される。一方、筆記体５のペン先が突出状態のとき、その筆記体５に取り付けられた操作体６の後端部は、軸筒２の内壁に形成された係止壁部に係止される。
【００３０】
ペン先没入状態にある筆記体５の後端に連結された操作体６の前側突出部６２は、その操作体６の操作部６１を前方にスライド操作した際、先に突出状態にある他の筆記体５の後端に連結された操作体６の後側突出部６３と当接され、他の筆記体５のペン先突出状態が解除される。
【００３１】
（識別表示体）
前記各々の操作体６の操作部６１の外面には、識別表示体７が着脱自在に取り付けられる。前記各々の識別表示体７は弾性材料により環状に形成される。前記各々の識別表示体７は操作体６と別部材により構成される。前記各々の操作体６の操作部６１の外周面（具体的には操作体６の操作部６１の頂部より径方向内方の外周面）には環状溝６６が形成され、前記環状溝６６に前記環状の識別表示体７が着脱自在に嵌合される。前記識別表示体７は、筆記体５内に収容したインキの色を表示するため該インキの色と略同色に着色される。前記識別表示体７は、操作体６に取り付けた状態において、軸筒２の外部に露出され外部より視認可能である。
【００３２】
本実施の形態の多芯筆記具１は、操作体６に取り付けた状態の識別表示体７を外部より視認可能に構成したことにより、操作体６を操作する前に筆記体５の識別表示体７を容易に視認できる。本実施の形態の多芯筆記具１は、各々の筆記体５を識別するための識別表示体７を操作体６の操作部６１と別部材により構成し、前記識別表示体７を、操作体６の操作部６１の頂部を除く操作部６１の一部に着脱自在に取り付けたことにより、操作体６のスライド操作時、識別表示体７に指等で触れることを回避し、識別表示体７が脱落することを抑止でき、しかも、仮に識別表示体７が脱落しても、操作部６１は操作体６に存在するため、ペン先の出没作動が不能となることがない。本実施の形態の多芯筆記具１は、操作体６と筆記体５とを着脱自在に連結したことにより、ユーザーが操作体６を軸筒２内に収容した状態で筆記体５のみを交換することができる。
【００３３】
本実施の形態の多芯筆記具１は、操作体６のスライド操作時、識別表示体７に指等で触れることを回避し、識別表示体７が脱落することを抑止できる。また、本実施の形態の多芯筆記具１は、識別表示体７が、前記操作体６の操作部６１の頂部より径方向内方の外周面を包囲するよう取り付けられることにより、識別表示体７を外部に露出させ識別表示体７を外部より容易に視認できる。
【００３４】
＜第２の実施の形態＞
図６乃至図１０に本発明の第２の実施の形態を示す。
【００３５】
本実施の形態の多芯筆記具１は、軸筒２内に複数本（具体的には２本）の筆記体５が前後方向に移動可能に収容されている。前記各々の筆記体５は、弾発体８（具体的には圧縮コイルスプリング）により後方に付勢されている。尚、本発明において、前記軸筒２内に移動可能に収容する筆記体５の本数は、２本以上であればよく、２本以外にも、３本、４本、５本、６本等であってもよい。
【００３６】
（軸筒）
前記軸筒２は、先細状の円筒体からなる前軸３と、該前軸３の後端部と螺合または圧入により取り付けられる円筒状の後軸４とからなる。前記前軸３の前端には、筆記体５のペン先が突出可能な前端孔が軸方向に貫設される。前記前軸３及び後軸４は、合成樹脂（例えば、ポリカーボネイト等）の射出成形により得られる。
【００３７】
前記後軸４の後部の側壁には、複数本（具体的には２本）の前後方向に延びる細長状の窓孔４１が、径方向に貫設される。前記２本の窓孔４１は、互いに、軸線に対して対称の位置に形成される。
【００３８】
また、前記後軸４の窓孔４１の相互間の側壁内面には、前後方向に延びるリブよりなる係止壁部が形成され、前記係止壁部に、ペン先が突出した際の筆記体５の操作体６の後端が係止される。
【００３９】
前記後軸４の窓孔４１の相互間の側壁外面には、クリップ４２が突設される。
【００４０】
（筆記体）
前記各々の筆記体５は、例えば、ボールペンレフィル、シャープペンシルレフィル、サインペンレフィル、マーキングペンレフィル等、公知のペン先を備えたレフィルが挙げられる。
【００４１】
（操作体）
前記各々の筆記体５の後端には、操作体６が取り付けられる。前記各々の操作体６は、後端部に形成され且つ軸筒２の窓孔４１から外部に突出する操作部６１と、該操作部６１の反対側に設けられる前側突出部６２と、該操作部６１の反対側の前側突出部６２の後方に設けられる後側突出部６３と、前端部に形成され且つ筆記体５の後端開口部に嵌入される嵌入部６４と、該嵌入部６４の後方に形成される鍔部６５とを備える。前記鍔部６５の前面には、弾発体８の後端が係止される。
【００４２】
前記操作体６は、操作部６１、前側突出部６２、後側突出部６３、嵌入部６４、及び鍔部６５が、合成樹脂の成形体により一体に形成される。前記各々の操作体６は、無色透明の合成樹脂または、有色の合成樹脂により形成される。前記各々の操作体６は、有色の場合、識別表示体７の識別性を向上させるため、同一の色に統一される。
【００４３】
操作体６の操作部６１には、軸方向に貫通し且つ径方向外方に開口するスリット状の内孔６７が形成される。前記内孔６７の内壁には一対の取付凹部６８が形成される。前記操作部６１の内孔６７の周壁には、前記内孔６７に連通し且つ外部に開口する視認窓６９が設けられる。
【００４４】
筆記体５のペン先が没入状態のとき、その筆記体５に取り付けられた操作体６７の後端部は、軸筒２後端部内壁に衝止される。一方、筆記体５のペン先が突出状態のとき、その筆記体５に取り付けられた操作体６の後端部は、軸筒２の内壁に形成された係止壁部に係止される。
【００４５】
ペン先没入状態にある筆記体５の後端に連結された操作体６の前側突出部６２は、その操作体６の操作部６１を前方にスライド操作した際、先に突出状態にある他の筆記体５の後端に連結された操作体６の後側突出部６３と当接され、他の筆記体５のペン先突出状態が解除される。
【００４６】
（識別表示体）
前記各々の操作体６の操作部６１の外面には、識別表示体７が着脱自在に取り付けられる。前記各々の識別表示体７は円板状に形成される。前記各々の識別表示体７は操作体６と別部材により構成される。前記各々の操作体６の操作部６１の内孔６７に挿入され、内孔６７の内壁の取付凹部６８に着脱自在に嵌合される。前記各々の識別表示体６は、操作部６１の内孔６７に収容された状態において、操作部６１の頂部より外部に突出しない構成である。前記識別表示体７は、合成樹脂の成形体により得られる。前記識別表示体７は、筆記体５内に収容したインキの色を表示するため該インキの色と略同色に着色される。
【００４７】
本実施の形態において、各々の操作部６１（即ち操作部６１の内孔６７の周壁）を透明材料により構成した場合、前記識別表示体７は、操作体６に取り付けた状態において、外部より容易に視認できる。また、本実施の形態において、各々の操作体６が有色の場合、前記識別表示体７は、操作体６に取り付けた状態において、前記視認窓６９を介して外部より容易に視認することができる。
【００４８】
本実施の形態の多芯筆記具１は、操作体６に取り付けた状態の識別表示体７を外部より視認可能に構成したことにより、操作体６を操作する前に筆記体５の識別表示体７を容易に視認できる。本実施の形態の多芯筆記具１は、各々の筆記体５を識別するための識別表示体７を操作体６の操作部６１と別部材により構成し、前記識別表示体７を、操作体６の操作部６１の頂部を除く操作部６１の一部に着脱自在に取り付けたことにより、操作体６のスライド操作時、識別表示体７に指等で触れることを回避し、識別表示体７が脱落することを抑止でき、しかも、仮に識別表示体７が脱落しても、操作部６１は操作体６に存在するため、ペン先の出没作動が不能となることがない。本実施の形態の多芯筆記具１は、操作体６と筆記体５とを着脱自在に連結したことにより、ユーザーが操作体６を軸筒２内に収容した状態で筆記体５のみを交換することができる。
【００４９】
本実施の形態の多芯筆記具１は、識別表示体７を操作部６１の内孔６７に収容することによって識別表示体７を操作部６１に着脱自在に取り付ける構成であるため、操作体６のスライド操作時、識別表示体７に指等で触れることを回避し、識別表示体７が脱落することを抑止できる。また、本実施の形態の多芯筆記具１は、操作部６１（即ち操作部６１の内孔６７の周壁）を透明材料により構成したことにより、識別表示体７を外部より容易に視認できる。
【００５０】
本実施の形態の多芯筆記具１は、操作部６１の内孔６７の周壁に、前記内孔６７に連通し且つ外部に開口する視認窓６９を設けたことにより、前記視認窓６９を介して識別表示体７を外部より容易に視認することができる。
【符号の説明】
【００５１】
１  多芯筆記具
２  軸筒
３  前軸
４  後軸
４１  窓孔
４２  クリップ
５  筆記体
６  操作体
６１  操作部
６２  前側突出部
６３  後側突出部
６４  嵌入部
６５  鍔部
６６  環状溝
６７  内孔
６８  取付凹部
６９  視認窓
７  識別表示体
８  弾発体
【図１】
2010260213.tif 000003
【図２】
2010260213.tif 000004
【図３】
2010260213.tif 000005
【図４】
2010260213.tif 000006
【図５】
2010260213.tif 000007
【図６】
2010260213.tif 000008
【図７】
2010260213.tif 000009
【図８】
2010260213.tif 000010
【図９】
2010260213.tif 000011
【図１０】
2010260213.tif 000012